(57)【特許請求の範囲】
【請求項１】
入浴剤として使用される、シャンプー、リンス、ボディソープ等で代表される関連する複数種類の液体商品を、別々に入れた、互いに類似する形状の複数の容器にそれぞれ取り付けられ、最上部平滑表面上に、容器に入れた液体商品のアルファベットまたは仮名文字の頭文字が表示されているキャップであって、前記頭文字は、それぞれ複数の略小半球突起点の組み合わせにより、触覚検知可能に突設すると共に、前記略小半球突起点が、特に、指定する一商品に対しては、他商品の前記略小半球突起点より稍鋭敏に触知し得る略小半球突起点の形状に形成して、多数の液体商品の中から触感の違いのみで特定の液体商品を選別できるようにしたことを特徴とする触覚式商品識別キャップ。
【発明の詳細な説明】
【０００１】
【発明の属する技術分野】
この発明は触覚式商品識別キャップ、特に、類似形状の容器に収納された複数種類の関連液体商品を、利用者の触覚により検知し、かつ触感の違いにより特定の液体商品を選別し得るキャップに関する。
【０００２】
【従来の技術】
個人が家庭等の浴室内で使用する例えばシャンプー，リンス、ボディーソープ等の浴室用の関連液体商品は、一般的に、それぞれ類似形状の容器に収納されている。
【０００３】
これらの容器は、いずれも使用の便のため、キャップに内容液押し出しボタン付きのキャップを有する形式も多く、外形的に極めて類似しているが、容器の色彩、商品名マーク等により識別が容易であるため、使用者は、無意識的に必要商品を選択利用している。
【０００４】
しかしながら、高齢者や視覚障害者にとっては、浴室の照明は比較的暗く、かつ湯気等で曇っていることが多いため、必要商品の容器をすばやく視覚的に区分することが困難である。このため、間違った商品を使用したり、あるいはその都度、必要とする商品の容器がどれなのか家人に聴かなければならない。
【０００５】
以上のような事情は、高齢者や視覚障害者のみでなく、通常の眼鏡利用者も、浴室内では眼鏡を外すため、同様の不便に遭遇することが少なくなかった。
【０００６】
また、ホテル、旅館、ゴルフ場の公共の場所、特に団体で利用することの多いゴルフ場等の浴場や温泉浴場等の大浴場には、必ず幾つもの類似形状のシャンプー，リンス，ボディーソープ等の入浴商品セットが大量に備えられており、湯気の立ち昇る環境内で各個人が利用する商品の種類を即座に見分けることは視覚障害のない健常者でも面倒である。
【０００７】
また、昨今、大浴場は、高齢者の人達の利用度が多くなり、以上のような傾向は益々多くなるものと思われる。
【０００８】
以上のような問題点を解消するために、使用条件の略同一の関連液体商品を個別に全く別の形状，サイズの容器に入れたり、あるいは、例えば実開平６−１２３１３号公報に開示されているように、視覚障害者用として、凹凸いずれかの文字、点字等で容器の外面に設けた穴部に、充填した商品の商品名を表示したりしている。
【０００９】
しかし、容器の形状をその中に入れる液体商品によって変えたり、容器の外面に穴部を設けると、製造コストが高くつき、流通上にも大きな問題を伴う。
【００１０】
【発明が解決しようとする課題】
以上のような問題点を解決するためには、各関連液体商品を入れる容器の外観意匠を実質的に同一とし、容器のキャップ（液体商品の適量を小出しにするための手押しボタン付きキャップを含む。）の上部形状を変化させたり、キャップの上表面にそれぞれ異なる区分符号を成形して意匠的に区分できるようにすればよいと考えられる。
【００１１】
しかしながら、このような方法では、利用者は視覚または触覚によってそれぞれの液体商品が、同一か同一でないかを確認し得るのみであって、いずれが自分の求める液体商品に該当するかは、事前の区分の知識か、その記憶がないと知ることができない。このため、これらの方法は、初めての利用者には役に立たない。
【００１２】
また、例えば、入浴時にシャンプーを使用する際、使用者は、眼をつぶってお湯をかぶっている状態で、手さぐりでその容器を求める場合も多い。このような場合、シャンプーのみは、健常者でも手先だけで他の液体商品と区別できれば便利である。
【００１３】
本発明は、以上のような技術的背景の下でなされたもので、比較的低コストであり、かつ健常者や視覚障害者のいずれもが手の触覚のみで容器の中の液体商品を認知できかつ、異質の触感を与えて、特定の液体商品を認知し得る触角式商品識別キャップを提供することを目的としている。
【００１４】
【課題を解決するための手段】
本発明が提供する触覚式商品識別キャップは、入浴剤として使用される、シャンプー、リンス、ボディソープ等で代表される関連する複数種類の液体商品を、別々に入れた、互いに類似する形状の複数の容器にそれぞれ取り付けられ、最上部平滑表面上に、容器に入れた液体商品のアルファベットまたは仮名文字の頭文字が表示されているキャップであって、前記頭文字は、それぞれ複数の略小半球突起点の組み合わせにより、触覚検知可能に突設すると共に、前記略小半球突起点が、特に、指定する一商品に対しては、他商品の前記略小半球突起点より稍鋭敏に触知し得る略小半球突起点の形状に形成して、多数の液体商品の中から触感の違いのみで特定の液体商品を選別できるようにしたことを特徴とするものである。
【００１５】
【作用】
本発明のキャップによれば、健常者、高齢者及び視覚障害者は、互いに類似する形状の容器の中に入れた関連液体商品の種類を各人の触覚により容易に確認することができる。そして、関連液体商品のうち、特定の一液体商品は、触覚により他の液体商品と区別して検知することができる。
【００１６】
【発明の実施の形態】
以下に本発明の実施の形態を、実施例に基づき、図面を参照して詳細に説明する。
【００１７】
【実施例】
図１（ａ），（ｂ）は、シャンプー、リンス、ボディソープ等の類似形状の容器のうちのシャンプーを入れた容器と、これに取り付けたキャップの斜視図である。図２（ａ）〜（ｆ）は、各液体商品を入れた容器のキャップの上表面の平面図である。
【００１８】
図１において、１は容器本体であり、２はその一表面にラベルまたはその他の形式で表示された「シャンプー」という商品名マークである。このマーク２は、通常の視力を有す健常者であれば一目で視認し得る。
【００１９】
図１（ａ）のキャップは、単体キャップ４ａであり、図１（ｂ）のキャップは、液押出ボタン付きキャップ４ｂである。５は、単体キャップ４ａの上表面と液押出しボタン付きキャップ４ｂの上表面に突設された実施例の触覚式商品識別マークを示す。なお、３は液供給チューブである。
【００２０】
この商品識別マーク５は、図２に示すように、シャンプー、リンス、ボディソープ各液体商品名の頭文字で表示されている。図２（ａ）〜（ｃ）の頭文字はローマ字、図２（ｄ）〜（ｆ）のそれは仮名文字で示されている。各頭文字は略小半球突起点で表示されている。例えば、特に指定する一商品としてシャンプーを示す図２（ａ）および（ｄ）のキャップのローマ字と片仮名を表す略小半球突起点は、他の図２の（ｂ），（ｃ）および（ｅ），（ｆ）の文字を示す略小半球突起点より、その形状が鋭く、これにより鋭敏な感触を得て、他の容器と簡単に区別して特定のシャンプー容器として確認できる。
【００２１】
実施例のキャップ４ａ、４ｂは、上述のような構成となっているので、健常者は勿論、高齢者や視覚障害者も、商品識別マーク５を指で触ったときの触覚によって容器本体１の中の液体商品を直観的に確認することができる。
【００２２】
さらに、このようなキャップを備えた商品は、目の不自由な人達にとっても、健常者と同じように使えるという意味で、差別化のない便利な商品性を有するだけでなく、このような人達に対しても配慮がなされている福祉的商品として、企業イメージの向上に資するといえる。
【００２３】
【他の実施例】
上記実施例では、関連する入浴用材を例にして説明したが、本発明は、これのみに限定されるものでなく、例えば、類似容器に封入された医薬品，飲料品等にも適用し得ることはもちろんである。
【００２４】
【発明の効果】
以上説明したように、本発明によれば、上述のような構成としたので、高齢者や視覚障害者及び健常者が、手の触覚のみで容器の中の液体商品を確実に認知できると共に、特に指定する一商品の容器の頭文字の略小半球突起点が、他の液体商品の容器の頭文字の略小半球突起点とは異なるやや鋭敏な突起で形成してあるので単に触感の違いのみで特定の液体商品を選別できる利便さがあり、さらに構造が簡単であるので比較的低コストの触角式商品識別キャップを提供できる。
【図面の簡単な説明】
【図１】  実施例の触覚式商品識別キャップを取り付けた容器を示し、（ａ）は単体キャップを取り付けた容器、（ｂ）は液押し出しボタン付きキャップを取り付けた容器である
【図２】  実施例のキャップの上表面を示す平面図である
【符号の説明】
１  容器本体
２  商品名マーク
３  液供給チューブ
４ａ  単体キャップ
４ｂ  液押出しボタン付きキャップ
５  触覚式商品識別マーク
【図１】
0003711366.tif 000002
【図２】
0003711366.tif 000003